(57)【要約】【課題】  バンパ表皮とランプ部との取付整合性を確保して、バンパ表皮の取付誤差や熱収縮の影響を受けることなく、ランプ部の外観品質を維持できるバンパ表皮取付構造を提供することを目的とする。【解決手段】  車体２のランプ取付部３にバンパ表皮１を固定するバンパ表皮固定部Ａ１、Ｂ１を設けるとともに、前記車体２の略中央部に前記バンパ表皮１を前後方向の移動が許容される遊嵌部Ａ５、Ｂ５にて固定したことにより、最も外観上目立つランプ５部における取付整合性が確保され、バンパ表皮１の取付誤差や熱収縮の影響を受けることなく、ランプ５部の外観品質を維持した上で、少なくとも最も取付誤差や熱収縮の影響を受け易いバンパ表皮１の略中央部１Ｃ近傍の前後方向の移動は遊嵌部Ａ５にて吸収することができる。【選択図】  図１
2006218998.tif 000002
【特許請求の範囲】
【請求項１】
中央部が前後方向に突出するとともに車幅方向に延在するバンパ構造を有し、異なった熱膨張率のバンパ表皮が車体に取り付けられるバンパ表皮取付構造において、前記車体のランプ取付部にバンパ表皮を固定するバンパ表皮固定部を設けるとともに、前記車体の略中央部に前記バンパ表皮を前後方向の移動が許容される遊嵌部にて固定したことを特徴とするバンパ表皮取付構造。
【請求項２】
前記バンパ表皮におけるバンパ表皮固定部と車体の略中央部の遊嵌部との間に、バンパの長手方向および前後方向に延びる長孔取付部を形成したことを特徴とする請求項１に記載のバンパ表皮取付構造。
【請求項３】
前記長孔取付部の長孔の形状をバンパ外形に沿った形状に形成したことを特徴とする請求項２に記載のバンパ表皮取付構造。
【請求項４】
前記長孔取付部が、中央部に向かうもの程前後方向の移動許容量が大きく形成されたことを特徴とする請求項２または３に記載のバンパ表皮取付構造。
【発明の詳細な説明】
【技術分野】
【０００１】
本発明は、中央部が前後方向に突出するとともに車幅方向に延在するバンパ構造を有し、異なった熱膨張率のバンパ表皮が車体に取り付けられるバンパ表皮取付構造に関する。
【背景技術】
【０００２】
自動車の前後端部には車幅方向に延在してバンパが配設されており、自動車の軽衝突時の衝撃を緩和することができる。また、それらの軽衝突時に損傷したバンパ表皮のみを交換することにより、多くの費用を要せずして外観を修復することが可能である。近年では、車体前後のコーナー部を回り込んで側面部まで車体と一体造形のバンパ表皮を配設したものが主流を占めている。ところが、一般に、バンパ表皮は車体と熱膨張率が異なる合成樹脂にて形成されるため、外気温度の変化による熱収縮や熱膨張によって、あるいは取付誤差によって、特にコーナー部で車体とバンパ表皮との整合性がずれて外観を悪化させていた。また、建付け時の誤差ばらつきによる残留応力の熱負荷時開放変形が、熱負荷がなくなった状態でももとに戻らず、ずれたままで外観を悪化させる虞れがあった。そこで、このような車体とバンパ表皮との間の熱変形によるずれを吸収できる技術が提案された（例えば下記特許文献１参照）。
【特許文献１】特開平６−１０６９７７号公報（請求項１参照）。
【発明の開示】
【発明が解決しようとする課題】
【０００３】
図６を用いて、前記特許文献１に開示されたバンパフェイシアの取付部構造について説明する。車幅方向に延びる一般部１１Ａと車体１２の側部に回り込んだバンパサイド部１１Ｂとを備えるとともに、一般部１１Ａとバンパサイド部１１Ｂの上縁およびバンパサイド部１１Ｂの端部に、車体１２側に延びるフランジ部１３を有するバンパフェイシア（表皮）１１の取付部構造において、前記一般部１１Ａとバンパサイド部１１Ｂとのコーナー部のフランジ部および端部のフランジ部（縦フランジ部：図示省略：図６（Ｃ）の１１Ｂ部の内部に縦方向に沿って配設されている）に、車体１２に対してバンパフェイシア１１を堅固に支持する固定部が設けられ、一般部１１Ａのフランジ部１３に一般部１１Ａの略車体前後方向への移動を許容する移動許容部１８（図６（Ａ）に示すように、キャンバ中心Ｏを基準とした放射線Ｌ上に沿う長孔とされる）が設けられたものである。
【０００４】
このような構成によって、一般部１１Ａとバンパサイド部１１Ｂとのコーナー部のフランジ部および端部のフランジ部に設けられた固定部によって、バンパサイド部１１Ｂが車体１２に対して堅固に固定されるため、バンパサイド部１１Ｂは熱変化により収縮する一般部１１Ａの影響を受けなくなり（図６（Ｃ）に示すように、通常位置のパーティング部Ｐは低温時には鎖線で示す位置Ｐ１に後退し、高温時には破線で示す位置Ｐ２に前進するため、局部的に波打ちを生ずることがない）、車体１２とのパーティング部を適正に確保して外観品質を保ことができることとなった。
【０００５】
しかしながら、この従来のバンパ表皮取付構造にあって、バンパフェイシア１１において、移動が許容される一般部１１Ａに対して堅固な固定がなされるのはバンパサイド部１１Ｂの端部であり、一般部１１Ａの領域にあるランプ取付部に関しては何らの考慮がなされていない。したがって、最も外観上目立つ部位であるランプ部におけるバンパ表皮との整合性がずれる虞れがあって、外観品質対策としては依然として不充分であった。また、移動許容部である長孔１８についても、キャンバ中心Ｏを基準とした放射線Ｌ上に沿う長孔とされるのみで、バンパフェイシア１１の車幅方向における延設形状に対応せず、バンパフェイシア１１の変形移動時に長孔１８とバンパ骨格である車体に挿入されたクリップ等と干渉する虞れもあった。
【０００６】
そこで本発明は、このような従来のバンパ表皮取付構造における諸課題を解決して、バンパ表皮とランプ部との取付整合性を確保して、バンパ表皮の取付誤差や熱収縮の影響を受けることなく、ランプ部の外観品質を維持できるバンパ表皮取付構造を提供することを目的とする。
【課題を解決するための手段】
【０００７】
このため本発明は、中央部が前後方向に突出するとともに車幅方向に延在するバンパ構造を有し、異なった熱膨張率のバンパ表皮が車体に取り付けられるバンパ表皮取付構造において、前記車体のランプ取付部にバンパ表皮を固定するバンパ表皮固定部を設けるとともに、前記車体の略中央部に前記バンパ表皮を前後方向の移動が許容される遊嵌部にて固定したことを特徴とする。また本発明は、前記バンパ表皮におけるバンパ表皮固定部と車体の略中央部の遊嵌部との間に、バンパの長手方向および前後方向に延びる長孔取付部を形成したことを特徴とする。また本発明は、前記長孔取付部の長孔の形状をバンパ外形に沿った形状に形成したことを特徴とする。また本発明は、前記長孔取付部が、中央部に向かうもの程前後方向の移動許容量が大きく形成されたことを特徴とするもので、これらを課題解決のための手段とする。
【発明の効果】
【０００８】
本発明によれば、中央部が前後方向に突出するとともに車幅方向に延在するバンパ構造を有し、異なった熱膨張率のバンパ表皮が車体に取り付けられるバンパ表皮取付構造において、前記車体のランプ取付部にバンパ表皮を固定するバンパ表皮固定部を設けるとともに、前記車体の略中央部に前記バンパ表皮を前後方向の移動が許容される遊嵌部にて固定したことにより、最も外観上目立つランプ部における取付整合性が確保され、バンパ表皮の取付誤差や熱収縮の影響を受けることなく、ランプ部の外観品質を維持した上で、少なくとも最も取付誤差や熱収縮の影響を受け易いバンパ表皮の略中央部近傍の前後方向の移動は遊嵌部にて吸収することができる。
【０００９】
また、前記バンパ表皮におけるバンパ表皮固定部と車体の略中央部の遊嵌部との間に、バンパの長手方向および前後方向に延びる長孔取付部を形成した場合は、変形移動のないバンパ表皮固定部と最も前後方向の変形移動の大きいの車体の略中央部における遊嵌部との間で、バンパの長手方向および前後方向に延びる長孔取付部を形成されていることにより、バンパ表皮の長手方向と前後方向の変形の合力方向の変形に対して適合した長孔取付部が効果的にバンパ表皮の変形を吸収することができる。
【００１０】
さらに、前記長孔取付部の長孔の形状をバンパ外形に沿った形状に形成した場合は、バンパ表皮の取付誤差の許容範囲を有効に拡大できるとともに、バンパ表皮の変形方向に適合して確実に変形を吸収できる。さらにまた、前記長孔取付部が、中央部に向かうもの程前後方向の移動許容量が大きく形成された場合は、ランプ部におけるバンパ表皮固定部からバンパ表皮の略中央部近傍の遊嵌部にかけて徐々に前後方向の変形が大きくなるバンパ表皮の変形に対して、効果的に変形を吸収することが可能となる。
【発明を実施するための最良の形態】
【００１１】
以下、本発明の実施例を図面に基づいて説明する。図１は本発明のバンパ表皮取付構造の１つの実施例を示すバンパ表皮を上方から見た車体左半分の分解斜視図、図２はバンパ表皮固定部の固定状態を示す斜視図、図３はバンパ表皮固定部の断面図、図４はバンパ表皮固定部近傍の断面図、図５は長孔取付部（図１のＡ２、Ｂ２部）の断面図である。本発明のバンパ表皮取付構造の基本的な構成は、図１に示すように、中央部が前後方向に突出するとともに車幅方向に延在するバンパ構造を有し、異なった熱膨張率のバンパ表皮１が車体２に取り付けられるバンパ表皮取付構造において、前記車体２のランプ取付部３にバンパ表皮１を固定するバンパ表皮固定部Ａ１、Ｂ１を設けるとともに、前記車体２の略中央部に前記バンパ表皮１を前後方向の移動が許容される遊嵌部Ａ５、Ｂ５にて固定したことを特徴とする。
【００１２】
図１（Ａ）に示すように、車体側である金属製でハット状のバンパビーム２の左右両端部（車体右側は図示省略）に、ランプ（図示の例はヘッドランプ）５を取り付けるための同様に金属製のランプブラケット３が固定ビス等により固定される。そして、フロントグリル等が形成されたバンパ表皮１の上縁部が、前記バンパビーム２に対して取り付けられる。ランプブラケット３にはランプ５が図示省略の適宜の方法にて取り付けられる。ランプブラケット３には固定突起Ｂ１が形成され、該固定突起Ｂ１に樹脂製のバンパ表皮１の固定溝Ａ１が適合してずれることなく係止・固定される。これによって、ランプ５に対するバンパ表皮１の基準位置として確定される。車体２の略中央部に形成された中央車体孔部Ｂ５に、前記バンパ表皮１の略中央部に形成されたを前後方向の移動が許容される遊嵌部であるＡ５が固定される。
【００１３】
前記固定部Ａ１、Ｂ１と遊嵌部Ａ５、Ｂ５との間には、長孔取付部Ａ２、Ｂ２・Ａ３、Ｂ３・Ａ４、Ｂ４が形成される。これらの長孔取付部Ａ２、Ａ３、Ａ４については、図１（Ｂ）に拡大して示すように、バンパの長手方向および前後方向に延びる長孔取付部を形成する。これらの長孔取付部の長孔の形状をバンパ外形に沿った形状に形成するとともに、中央部に向かうもの程前後方向の移動許容量も大きく形成される。このように構成することにより、バンパ表皮の取付誤差の許容範囲を有効に拡大できるとともに、熱変化に起因したバンパ表皮の熱収縮時に、前記バンパ表皮固定部Ａ１、Ｂ１からバンパ表皮の略中央部近傍の遊嵌部Ａ５、Ｂ５にかけて徐々に前後方向の変形が大きくなるバンパ表皮の変形に対して、バンパ表皮の長手方向と前後方向の変形の合力方向の変形に対して適合した長孔取付部が効果的にバンパ表皮の変形を吸収することができる。
【００１４】
図２はバンパ表皮固定部の固定状態を示す斜視図で、前記図１（Ａ）におけるバンパ表皮固定部Ａ１、Ｂ１の詳細図である。ランプブラケット３における固定突起Ｂ１とバンパ表皮１における固定溝Ａ１の関連構成が明瞭に示されている。図２（Ｂ）に示したものは、ランプブラケット３に対してバンパ表皮１を取り付ける前の斜視図で、ランプブラケット３の上面には、バンパ表皮１の後縁１Ａを受け入れる受入部６が形成されており、バンパ表皮１の取付基準点となる固定部に固定突起Ｂ１が形成される。この固定突起Ｂ１に対応するバンパ表皮１の後縁１Ａには固定突起Ｂ１を精度よく受け入れる固定溝Ａ１が刻設される。バンパ表皮１の後縁１Ａをランプブラケット３の上面の受入部６に挿入して固定した状態が図２（Ａ）である。
【００１５】
図３はバンパ表皮固定部の断面図で、図２におけるバンパ表皮固定部Ａ１、Ｂ１を含む横断面を示したものである。ランプブラケット３の上面に形成された固定突起Ｂ１に対してバンパ表皮１の後縁１Ａに刻設された固定溝Ａ１が係止して固定されたバンパ表皮固定部Ａ１、Ｂ１の固定状態が明瞭に示されている。図４は前記図３のバンパ表皮固定部Ａ１、Ｂ１の近傍の断面図で、バンパ表皮固定部Ａ１、Ｂ１からバンパの長手方向に僅かずれた位置の横断面を示したものである。ランプブラケット３の上面に形成された受入部６に対してバンパ表皮１の後縁１Ａが挿入・固定された固定状態が明瞭に示されている。
【００１６】
図５は長孔取付部の断面図である。長孔取付部は、バンパ表皮固定部Ａ１、Ｂ１と車体２の略中央部に形成された遊嵌部Ａ５、Ｂ５との間に位置する、複数のバンパビーム２とバンパ表皮１との取付部である。バンパ表皮固定部Ａ１、Ｂ１に最も近い長孔取付部（図１のＡ２、Ｂ２部）の横断面を代表させて示したものである。この断面では、バンパビーム２の端部におけるランプブラケット３との取付部において、バンパビーム２の第１車体孔部Ｂ２に対するバンパ表皮１の第１表皮孔部Ａ２の長孔取付部Ａ２、Ｂ２としての構成が明瞭に示されている。
【００１７】
これらのバンパビーム２の第１車体孔部Ｂ２に対するバンパ表皮１の第１表皮孔部Ａ２は、バンパ表皮１の長手方向と車体の前後方向に延びた長孔に形成されているが、それらの孔部に挿入・係止されるクリップ７は、重合されたバンパ表皮１とバンパビーム２を弾発力により挟圧するような構成とされる、それによって、クリップ７と第１表皮孔部Ａ２との間が遊嵌されていても、がた音等が発生することはない。長孔取付部Ａ２、Ｂ２には同時にアッパカバー４も取り付けられている。他の長孔取付部Ａ３、Ｂ３およびＡ４、Ｂ４についても同様であるので、説明を省略する。
【００１８】
以上、本発明の各実施の形態について説明してきたが、本発明の趣旨の範囲内で、バンパビームの形状（ハット形状、方形閉断面形状等の断面形状、平面形状はバンパ表皮の平面形状に適合する形状が好ましいが、それに限定されない）、形式、ランプブラケットの形状（車体フレームやバンパビームへの取付部の形状等の他、ランプとの適合形状等）、形式およびランプの取付形態、バンパビームとランプブラケットの取付形態（ランプブラケットに対してバンパ表皮を取り付けたバンパビームを移動許容可能に取り付けてもよい）、グリル形状を含むバンパ表皮の形状、形式および材質（交換可能な樹脂等が採用される）ならびに熱膨張率、バンパ表皮固定部の形状（受入部を介した固定の他、適宜の形状の固定突起と固定溝のみによる固定も採用され得る）、形式、遊嵌部の形状、形式、長孔取付部の形状、形式および数ならびに前後方向の移動許容量等については適宜選定することができる。
【図面の簡単な説明】
【００１９】
【図１】本発明のバンパ表皮取付構造の１つの実施例をもので、バンパ表皮を上方から見た車体左半分の分解斜視図である。
【図２】同、バンパ表皮固定部の固定状態を示す斜視図である。
【図３】同、バンパ表皮固定部の断面図である。
【図４】同、バンパ表皮固定部近傍の断面図である。
【図５】同、長孔取付部（図１のＡ２、Ｂ２部）の断面図である。
【図６】従来のバンパフェイシアの取付部構造の説明図である。
【符号の説明】
【００２０】
１        バンパ表皮
１Ａ        後縁
１Ｃ        中央部
２        バンパビーム（車体）
３        ランプブラケット（ランプ取付部）
４        アッパカバー
５        ランプ
６        受入部
Ａ１        固定溝（バンパ表皮固定部）
Ｂ１        固定突起（バンパ表皮固定部）
Ａ２        第１表皮孔部（長孔取付部）
Ｂ２        第１車体孔部（長孔取付部）
Ａ３        第２表皮孔部（長孔取付部）
Ｂ３        第２車体孔部（長孔取付部）
Ａ４        第３表皮孔部（長孔取付部）
Ｂ４        第３車体孔部（長孔取付部）
Ａ５        中央表皮孔部（遊嵌部）
Ｂ５        中央車体孔部（遊嵌部）
【図１】
2006218998.tif 000003
【図２】
2006218998.tif 000004
【図３】
2006218998.tif 000005
【図４】
2006218998.tif 000006
【図５】
2006218998.tif 000007
【図６】
2006218998.tif 000008